(57)【要約】【課題】  ジャズ演奏やクラシック演奏などの異なる演奏形態に応じて楽音の発音開始を制御して、異なる演奏形態に応じて最適に楽音を発音させることができる電子鍵盤楽器を提供する。【解決手段】  操作スイッチ部７のモードスイッチによって複数の演奏形態のいずれかが選択指定された状態で、鍵４が押鍵操作されて鍵スイッチ１７の第１〜第４の各接点部２４〜２７が順次オンする際に、指定された演奏形態に対応する２つの接点部が順次オンすることにより、発音制御手段（ＣＰＵ３４）が楽音の発音開始を制御する。従って、ジャズ演奏やクラシック演奏などの異なる演奏形態に応じて楽音を発音させることができるので、異なる演奏形態に応じて最適に楽音を発音させることができる。【選択図】        図６
2010160263.tif 000002
【特許請求の範囲】
【請求項１】
複数の鍵をそれぞれ押鍵操作することにより楽音を発音する電子鍵盤楽器において、
前記鍵の押鍵操作に応じて順次オンする少なくとも３つの接点部を有する鍵スイッチ手段と、
前記押鍵操作時における前記鍵のストロークの深さが異なる複数の演奏形態のいずれかを選択して指定する演奏モード選択手段と、
この演奏モード選択手段によって前記複数の演奏形態のいずれかが選択指定された状態で、前記鍵が押鍵操作されて前記鍵スイッチ手段の前記各接点部が順次オンする際に、前記指定された演奏形態に対応する２つの接点部が順次オンすることにより楽音の発音開始を制御する発音制御手段と
を備えていることを特徴とする電子鍵盤楽器。
【請求項２】
前記発音制御手段は、前記鍵の押鍵操作に応じて前記鍵スイッチ手段の前記各接点部が順次オンした後に、前記鍵が初期位置に復帰する際に、最初にオンした接点部がオフになることにより前記楽音の発音停止を制御することを特徴とする請求項１に記載の電子鍵盤楽器。
【請求項３】
前記押鍵操作時における前記鍵のストロークの深さを前記複数の演奏形態のいずれかに調整する鍵ストローク調整部材を備えていることを特徴とする請求項１または請求項２に記載の電子鍵盤楽器。
【発明の詳細な説明】
【技術分野】
【０００１】
この発明は、電子ピアノなどの電子鍵盤楽器に関し、更に詳しくは複数の鍵の押鍵操作に応じて楽音を発音する電子鍵盤楽器に関する。
【背景技術】
【０００２】
従来、電子鍵盤楽器においては、特許文献１に記載されているように、鍵盤の各鍵それぞれに対応して設けられた複数の鍵スイッチ部によって各鍵の押鍵をそれぞれ検出し、この検出に応答して楽音信号を発生させる際に、鍵スイッチ部が押鍵時における鍵のストロークの異なる深さ位置でそれぞれオン信号を出力し、この出力されたオン信号に基づいて発音する楽音の音色を制御するように構成されたものが知られている。
【先行技術文献】
【特許文献】
【０００３】
【特許文献１】特開平０８−７６７５７号公報
【発明の概要】
【発明が解決しようとする課題】
【０００４】
しかしながら、このような従来の電子鍵盤楽器では、押鍵時における鍵のストロークの深さ位置に応じて発音する楽音の音色を制御することができるが、鍵を深く押しても、また鍵を浅く押しても、同じタイミングで楽音を発音しているため、ジャズ演奏やクラシック演奏などの異なる演奏形態に応じて最適に楽音を発音させることができないという問題がある。
【０００５】
例えば、ジャズ演奏は、鍵タッチが軽く、鍵ストロークの深さが浅いので、楽音の発音を開始するタイミングを早くする必要がある。また、クラシック演奏は、鍵タッチが重く、鍵ストロークの深さが深いので、楽音の発音を開始するタイミングを遅くする必要がある。このため、ジャズ演奏とクラシック演奏とでは、楽音の発音を開始するタイミングを変えなければ、良好な楽音が得られない。
【０００６】
この発明が解決しようとする課題は、ジャズ演奏やクラシック演奏などの異なる演奏形態に応じて楽音の発音開始を制御して、異なる演奏形態に応じて最適に楽音を発音させることができる電子鍵盤楽器を提供することである。
【課題を解決するための手段】
【０００７】
この発明は、上記課題を解決するために、次のような構成要素を備えている。
請求項１に記載の発明は、複数の鍵をそれぞれ押鍵操作することにより楽音を発音する電子鍵盤楽器において、前記鍵の押鍵操作に応じて順次オンする少なくとも３つの接点部を有する鍵スイッチ手段と、前記押鍵操作時における前記鍵のストロークの深さが異なる複数の演奏形態のいずれかを選択して指定する演奏モード選択手段と、この演奏モード選択手段によって前記複数の演奏形態のいずれかが選択指定された状態で、前記鍵が押鍵操作されて前記鍵スイッチ手段の前記各接点部が順次オンする際に、前記指定された演奏形態に対応する２つの接点部が順次オンすることにより楽音の発音開始を制御する発音制御手段とを備えていることを特徴とする電子鍵盤楽器である。
【０００８】
請求項２に記載の発明は、前記発音制御手段が、前記鍵の押鍵操作に応じて前記鍵スイッチ手段の前記各接点部が順次オンした後に、前記鍵が初期位置に復帰する際に、最初にオンした接点部がオフになることにより前記楽音の発音停止を制御することを特徴とする請求項１に記載の電子鍵盤楽器である。
【０００９】
請求項３に記載の発明は、前記押鍵操作時における前記鍵のストロークの深さを前記複数の演奏形態のいずれかに調整する鍵ストローク調整部材を備えていることを特徴とする請求項１または請求項２に記載の電子鍵盤楽器である。
【発明の効果】
【００１０】
この発明によれば、鍵が押鍵操作されて鍵スイッチ手段の各接点部が順次オンする際に、演奏モード選択手段によって選択指定された演奏モードに対応する２つの接点部が順次オンすることにより、発音制御手段によって楽音の発音開始を制御することができる。このため、ジャズ演奏やクラシック演奏などの異なる演奏形態に応じて楽音を発音させることができるので、異なる演奏形態に応じて最適に楽音を発音させることができる。
【図面の簡単な説明】
【００１１】
【図１】この発明を適用した電子鍵盤楽器の実施形態１を示した平面図である。
【図２】図１の電子鍵盤楽器におけるＡ―Ａ矢視を示した拡大断面図である。
【図３】図２の状態で鍵を押鍵して鍵スイッチの第１操作子が第１接点部をオンさせた状態を示した拡大断面図である。
【図４】図３の状態で鍵が更に押鍵されて鍵スイッチの第２、第３の各操作子が第２、第３の各接点部を順次オンさせた状態を示した拡大断面図である。
【図５】図４の状態で鍵が更に押鍵されて鍵スイッチの第４操作子が第４接点部をオンさせた状態を示した拡大断面図である。
【図６】図２〜図５の状態において鍵の押鍵深さによって第１〜第４の各接点部が順次オンした後に初期位置に戻るときのオフ状態を示した説明図である。
【図７】図１の電子鍵盤楽器の回路構成を示したブロック図である。
【図８】図７の電子鍵盤楽器におけるメインフローを示した図である。
【図９】図８における操作スイッチ処理の動作フローを示した図である。
【図１０】図８における鍵盤処理の動作フローを示した図である。
【図１１】図１０における鍵番号Ｎの鍵処理の動作フローを示した図である。
【図１２】この発明を適用した電子鍵盤楽器の実施形態２を示した平面図である。
【図１３】図１２の電子鍵盤楽器の左側面を示した拡大側面図である。
【図１４】図１２の電子鍵盤楽器におけるＢ―Ｂ矢視を示した拡大断面図である。
【図１５】図１４の鍵ストローク調整部材を示した拡大図である。
【図１６】図１４において鍵ストローク調整部材によって鍵のストロークをクラシック演奏用に深く調整して鍵を押鍵した状態を示した拡大断面図である。
【図１７】図１４において鍵ストローク調整部材によって鍵のストロークをジャズ演奏用に浅く調整して鍵を押鍵した状態を示した拡大断面図である。
【発明を実施するための形態】
【００１２】
（実施形態１）
以下、図１〜図１１を参照して、この発明を適用した電子鍵盤楽器の実施形態１について説明する。
この電子鍵盤楽器は、図１に示すように、楽器本体１を備えている。この楽器本体１には、図１および図２に示すように、鍵盤部２が設けられている。この鍵盤部２は、下部ケースを兼ねる鍵盤シャーシ３上に白鍵および黒鍵からなる多数の鍵４が配列され、これら多数の鍵４の各後端部側（図２では左端部側）が上部ケース５によって覆われた構成になっている。
【００１３】
この場合、上部ケース５は、図２に示すように、その下面にボス部５ａが設けられ、このボス部５ａが鍵盤シャーシ３の後部上に取り付けられていることにより、鍵盤シャーシ３の後部上に配置されて各鍵４の後端部側を覆うように構成されている。また、この上部ケース５の上面には、図１に示すように、表示部６および操作スイッチ部７が設けられている。
【００１４】
表示部６は、液晶表示パネルやＥＬ（エレクトロルミネッセンス）表示パネルなどの平面型の表示パネルからなり、音量や音色などの演奏に必要な各種の情報を電気光学的に表示するように構成されている。また、操作スイッチ部７は、電源、音量、音色、演奏形態などの各種の機能を選択するために必要な各種のスイッチを備えている。
【００１５】
ところで、鍵４は、図２〜図５に示すように、その後端部が鍵盤シャーシ３の後部上に設けられた鍵支持部８に回動自在に取り付けられ、押鍵操作に応じて上下方向に回動すると共に、このときにハンマー部材１０によってアクション荷重が付与されるように構成されている。すなわち、ハンマー部材１０は、図２〜図５に示すように、ハンマー本体１１を備え、このハンマー本体１１の前部側（図２では右側）が鍵盤シャーシ３に設けられたハンマー支持部１２に回動自在に取り付けられ、鍵４の回動動作に応じて上下方向に回動するように構成されている。
【００１６】
この場合、ハンマー本体１１の後部（図２では左側）には、図２に示すように、錘１３が設けられている。また、このハンマー本体１１の前端部には、鍵４に設けられたハンマー保持部１４に保持される鍵連結部１５が設けられている。これにより、ハンマー部材１０は、鍵４が押鍵されると、ハンマー本体１１の鍵連結部１５が鍵４のハンマー保持部１４によって押し下げられ、これに伴ってハンマー本体１１が錘１３の重量に抗してハンマー支持部１２を中心に回動することにより、鍵４にアクション荷重を付与するように構成されている。
【００１７】
一方、鍵盤シャーシ３の中間部には、図２に示すように、スイッチ基板１６が設けられており、このスイッチ基板１６には、鍵４の回動動作を検出する鍵スイッチ１７が各鍵４にそれぞれ対応して設けられている。この鍵スイッチ１７は、スイッチ基板１６に取り付けられたスイッチ本体１８と、このスイッチ本体１８に設けられて鍵４の押鍵操作に応じて順次スイッチ動作する第１〜第４の各操作子２０〜２３と、スイッチ本体１８内に設けられて第１〜第４の各操作子２０〜２３によってそれぞれオン・オフする第１〜第４の各接点部２４〜２７とを備えている。
【００１８】
この場合、第１〜第４の各操作子２０〜２３のうち、第１、第２の各操作子２０、２１は、図２に示すように、それぞれスイッチ基板１６の上方に突出すると共に、第１操作子２０が第２操作子２１よりも少し長く形成されている。これにより、第１、第２の各操作子２０、２１は、押鍵操作時に鍵４の押圧部４ａによって順次押し下げられる際に、図３に示すように、まず、第１操作子２０が第１接点部２４をオンさせ、この後、図４に示すように、第２操作子２１が第２接点部２５をオンさせるように構成されている。
【００１９】
また、第３、第４の各操作子２２、２３は、図２に示すように、それぞれスイッチ基板１６の下方に突出すると共に、第３操作子２２が第４操作子２３よりも少し長く形成されている。これにより、第３、第４の各操作子２２、２３は、鍵４が押鍵されてハンマー本体１１が回動し、このハンマー本体１１の押圧部１１ａによって順次押し上げられる際に、図４に示すように、まず、第３操作子２２が第３接点部２６をオンさせ、この後、図５に示すように、第４操作子２３が第４接点部２７をオンさせるように構成されている。
【００２０】
このように、この鍵スイッチ１７は、図２〜図６に示すように、鍵４が押鍵されると、まず、図３に示すように、第１操作子２０が鍵４の押圧部４ａによって押し下げられて第１接点部２４がオンし、次いで図４に示すように、更に鍵４が押し下げられると、第２操作子２１が鍵４の押圧部４ａによって押し下げられて第２接点部２５がオンし、更に鍵４が押し下げられると、図４に示すように、第３操作子２２がハンマー本体１１の押圧部１１ａによって押し上げられて第３接点部２６がオンし、鍵４が最も押し下げられると、図５に示すように、第４操作子２３がハンマー本体１１の押圧部１１ａによって押し上げられて第４接点部２７がオンするように構成されている。
【００２１】
また、この鍵スイッチ１７は、図２〜図６に示すように、押鍵された鍵４が初期位置に戻る際に、前述した動作とは逆に、まず、第４操作子２３がハンマー本体１１の押圧部１１ａから離れて第４接点部２７がオフになり、次いで第３操作子２２がハンマー本体１１の押圧部１１ａから離れて第３接点部２６がオフになり、次いで第２操作子２１が鍵４の押圧部４ａから離れて第２接点部２５がオフになり、最後に第１操作子２０が鍵４の押圧部４ａから離れて第１接点部２４がオフになるように構成されている。
【００２２】
次に、図７のブロック図を参照して、この電子鍵盤楽器の回路構成について説明する。
この電子鍵盤楽器の回路構成は、操作スイッチ部７および鍵スイッチ１７などのスイッチ操作に応じて入力信号が入力する入力部３０と、この入力部３０で入力された入力信号を制御する信号制御部３１と、この信号制御部３１で制御された信号に基づいて楽音などの各種の情報を出力する出力部３２と、これらに電力を供給する電源部３３とを備えている。
【００２３】
入力部３０は、操作スイッチ部７と鍵スイッチ１７とを備えている。操作スイッチ部７は、音量スイッチ、音色スイッチ、演奏モードスイッチなどの各種のスイッチを備えている。この場合、演奏モードスイッチは、複数の演奏形態のいずれかを選択して指定する。例えば、複数の演奏形態には、鍵ストロークの浅いジャズ演奏や、鍵ストロークの深いクラシック演奏などがある。また、鍵スイッチ１７は、前述したように各鍵４それぞれに対応して設けられ、各鍵４の押鍵操作に応じて順次オンする第１〜第４の各接点部２４〜２７を備えている。
【００２４】
信号制御部３１は、この電子鍵盤楽器の回路全般を制御するＣＰＵ（中央演算処理装置）３４と、予め定められたプログラムが格納されたＲＯＭ（リードオンリーメモリ）３５と、入力部３０で入力されたデータおよびその処理データを書き込みおよび読み出し可能に格納するＲＡＭ（ランダムアクセスメモリ）３６と、これらを接続するバス３７とを備えている。また、出力部３２は、楽音を発音するスピーカなどの音源部３８と、入力部３０で入力されたデータおよびその処理データなどの情報を表示する表示部６とを備えている。
【００２５】
次に、図８〜図１１を参照して、この電子鍵盤楽器の作用について説明する。
この電子鍵盤楽器のメインフローは、図８に示すように、その動作がスタートすると、ＣＰＵ３４で初期設定処理（イニシャライズ）を実行する(ステップＳ１)。この初期設定処理は、各鍵４に対応する全ての鍵スイッチ１７のデータおよびそのカウントデータをクリアする。
【００２６】
この初期設定処理を実行した後、操作スイッチ部７の操作スイッチ処理を実行する（ステップＳ２）。この操作スイッチ処理は、音量スイッチで音量を調整し、音色スイッチで音色を選択指定し、演奏モードスイッチでジャズ演奏やクラシック演奏などの異なる種類の演奏形態のうちから、いずれかの演奏形態を選択して指定する。この操作スイッチ処理を実行した後は、鍵盤処理を実行する（ステップＳ３）。
【００２７】
この鍵盤処理は、鍵盤部２の各鍵４がそれぞれ押鍵された際に、これに対応する鍵４の押鍵速度を測定して楽音の発音を制御する。このステップＳ３の鍵盤処理を実行した後は、上記以外のその他の処理を行って（ステップＳ４）、再びステップＳ２の操作スイッチ処理に戻り、操作スイッチ部７の電源スイッチがオフになるまで、ステップＳ２〜ステップＳ４までの動作を繰り返す。
【００２８】
次に、図９を参照して、メインフローにおける操作スイッチ処理の動作について説明する。
この操作スイッチ処理は、その動作がスタートすると、ＣＰＵ３４で操作スイッチ部７の演奏モードスイッチが操作されてモード番号１のクラシック演奏とモード番号２のジャズ演奏とのいずれかが選択されているか否かを判断する（ステップＳ１０）。
【００２９】
このステップＳ１０でモード番号１のクラシック演奏が選択されていると判断された際には、ＲＡＭ３６内のワークエリアに確保されたモード番号レジスタにモード番号１をストアする（ステップＳ１１）。このステップＳ１１でモード番号レジスタにクラシック演奏であるモード番号１がストアされると、その他のスイッチ処理を実行して（ステップＳ１２）、メインフローに戻る。
【００３０】
また、ステップＳ１０でモード番号２のジャズ演奏が選択されていると判断された際には、ＲＡＭ３６内のワークエリアに確保されたモード番号レジスタにモード番号２をストアする(ステップＳ１３)。このステップＳ１３でモード番号レジスタにジャズ演奏であるモード番号２がストアされると、ステップＳ１２に進んで、その他のスイッチ処理を実行して、メインフローに戻る。
【００３１】
次に、図１０を参照して、メインフローにおける鍵盤処理の動作について説明する。
この鍵盤処理は、その動作がスタートすると、ＣＰＵ３４で鍵盤部２における多数の鍵４の全ての動作について検索する必要があるため、鍵４の番号を示す鍵カウンタＮを「０」にセットし（ステップＳ２０）、鍵番号Ｎの鍵処理を実行する（ステップＳ２１）。この鍵番号Ｎの鍵処理は、鍵番号Ｎの鍵４（以下、Ｎ番目の鍵４という）が押鍵された際に、これに対応する鍵４の押鍵速度を測定し、この測定された押鍵速度に応じて楽音の音量および発音開始のタイミングを制御して楽音を発音する。
【００３２】
このステップＳ２１で鍵番号Ｎの鍵処理を実行した後は、鍵カウンタＮに「１」を加算し（ステップＳ２２）、鍵カウンタＮが最大鍵数であるか否かを判断する(ステップＳ２３)。このとき、鍵カウンタＮが最大鍵数でなければ、ステップＳ２１に戻り、鍵盤部２の全ての鍵４について鍵処理を実行するまで、ステップＳ２１〜ステップＳ２３までの動作を繰り返す。そして、ステップＳ２３で鍵カウンタＮが最大鍵数になり、鍵盤部２の全ての鍵４について鍵処理を実行したと判断されたときには、メインフローに戻る。
【００３３】
次に、図１１を参照して、鍵盤処理における鍵番号Ｎの鍵処理について説明する。
この鍵番号Ｎの鍵処理は、その動作がスタートすると、ＣＰＵ３４で鍵スイッチ１７の第１接点部２４がオフからオンになった後に、第２接点部２５がオフからオンになったか否かを判断する（ステップＳ３０）。このとき、第２接点部２５がオフからオンになったと判断されると、モード番号レジスタにストアされたモード番号がクラシック演奏のモード番号１であるか否かを判断する（ステップＳ３１）。
【００３４】
このステップＳ３１で、モード番号レジスタにストアされたモード番号がクラシック演奏のモード番号１であれば、押鍵される鍵４のストロークが深い演奏であることにより、鍵４のストロークが深い位置にある第３接点部２６と第４接点部２７とで押鍵速度を測定する必要がある。このため、この時点では押鍵速度を測定せずに、鍵盤処理のステップＳ２１に戻り、次にＮ番目の鍵４に対応する鍵スイッチ１７の第３接点部２６がオフからオンになるまで待機する。
【００３５】
また、ステップＳ３１でモード番号がクラシック演奏のモード番号１でなければ、ジャズ演奏のモード番号２であると判断する。このジャズ演奏のモード番号２では、押鍵される鍵４のストロークが浅い演奏であることにより、鍵４のストロークが浅い位置にある第２接点部２５と第３接点部２６とで押鍵速度を測定する必要がある。
【００３６】
このため、ステップＳ３１でジャズ演奏のモード番号２であると判断されたときに、押鍵されたＮ番目の鍵４における押鍵速度の測定を開始する（ステップＳ３２）。この押鍵速度の測定は、押鍵されたＮ番目の鍵４に対応するタイマーをカウントすることにより行われる。このステップＳ３２で鍵４の押鍵速度の測定を開始すると、鍵盤処理のステップＳ２１に戻り、次にＮ番目の鍵４に対応する鍵スイッチ１７の第３接点部２６がオフからオンになるまで待機する。
【００３７】
そして、再びステップＳ３０に戻り、このステップＳ３０で鍵スイッチ１７の第２接点部２５が既にオンであると判断された場合には、第３接点部２６がオフからオンになったか否かを判断する（ステップＳ３３）。このとき、第３接点部２６がオフからオンになったと判断されると、モード番号レジスタにストアされたモード番号がクラシック演奏のモード番号１であるか否かを判断する（ステップＳ３４）。
【００３８】
このステップＳ３４で、モード番号がクラシック演奏のモード番号１でなければ、ジャズ演奏のモード番号２であると判断し、押鍵されたＮ番目の鍵４における押鍵速度の測定を終了する（ステップＳ３５）。このときには、押鍵されたＮ番目の鍵４に対応するタイマーのカウントを停止し、Ｎ番目の鍵４と対応するレジスタにカウント値をストアする。
【００３９】
このステップＳ３５で、レジスタにストアされたカウント値から押鍵されたＮ番目の鍵４の押鍵速度を算出し、Ｎ番目の鍵４に対応する楽音の発音を音源部３８に指示し、算出されたＮ番目の鍵４の押鍵速度に応じた音量で楽音の発音を開始し（ステップＳ３６）、鍵盤処理のステップＳ２１に戻り、次にＮ番目の鍵４に対応する楽音の消音指示が与えられるまで楽音の発音を続ける。
【００４０】
また、ステップＳ３４で、モード番号レジスタにストアされたモード番号がクラシック演奏のモード番号１であれば、押鍵された鍵４のストロークが深い演奏であることにより、押鍵されたＮ番目の鍵４に対応するタイマーをカウントし、押鍵されたＮ番目の鍵４における押鍵速度の測定を開始し（ステップＳ３７）、鍵盤処理のステップＳ２１に戻り、次にＮ番目の鍵４に対応する鍵スイッチ１７の第４接点部２７がオフからオンになるまで待機する。
【００４１】
そして、再びステップＳ３３に戻り、このステップＳ３３で鍵スイッチ１７の第３接点部２６が既にオンであると判断された場合には、第４接点部２７がオフからオンになったか否かを判断する（ステップＳ３８）。このとき、第４接点部２７がオンにならなければ、押鍵されたＮ番目の鍵４が、押鍵操作の浅いジャズ演奏であり、初期位置に復帰している状態であると判断して、第１接点部２４がオンからオフになったか否かを判断する（ステップＳ３９）。
【００４２】
このとき、ステップＳ３９で、第１接点部２４がオンからオフにならなければ、Ｎ番目の鍵４が初期位置に復帰している途中の状態であると判断し、鍵盤処理のステップＳ２１に戻り、次にステップＳ３９で第１接点部２４がオンからオフになるまで待機する。また、ステップＳ３９で第１接点部２４がオンからオフになると、ジャズ演奏の演奏形態で押鍵されたＮ番目の鍵４に対応する楽音の消音を音源部３８に指示し、Ｎ番目の鍵４に対応する楽音の発音を停止し（ステップＳ４０）、鍵盤処理のステップＳ２１に戻る。
【００４３】
また、ステップＳ３８で、第４接点部２７がオフからオンになったと判断されたときには、モード番号レジスタにストアされたモード番号がクラシック演奏のモード番号１であるか否かを判断する（ステップＳ４１）。このステップＳ４１でモード番号１でなければ、押鍵操作の浅いジャズ演奏のモード番号２であると判断し、鍵盤処理のステップＳ２１に戻る。
【００４４】
このステップＳ４１で、押鍵操作の深いクラシック演奏のモード番号１であると判断された場合には、押鍵されたＮ番目の鍵４における押鍵速度の測定を終了する（ステップＳ４２）。このときにも、押鍵されたＮ番目の鍵４に対応するタイマーのカウントを停止し、Ｎ番目の鍵４に対応するレジスタにカウント値をストアする。
【００４５】
このステップＳ４２で、レジスタにストアされたカウント値から押鍵されたＮ番目の鍵４の押鍵速度を算出し、Ｎ番目の鍵４に対応する楽音の発音を音源部３８に指示し、算出されたＮ番目の鍵４の押鍵速度に応じた音量で楽音の発音を開始し（ステップＳ４３）、鍵盤処理のステップＳ２１に戻り、次にＮ番目の鍵４に対応する楽音の消音指示が与えられるまで楽音の発音を続ける。
【００４６】
そして、再びステップＳ３８に戻り、このステップＳ３８で第４接点部２７が既にオンであると判断された場合には、ステップＳ３９でクラシック演奏の演奏形態で押鍵されたＮ番目の鍵４が初期位置に復帰している状態であると判断し、第１接点部２４がオンからオフになるまで待機する。
【００４７】
このステップＳ３９で第１接点部２４がオンからオフになると、ステップＳ４０で押鍵されたクラシック演奏のＮ番目の鍵４に対応する楽音の消音を音源部３８に指示し、Ｎ番目の鍵４に対応する楽音の発音を停止し（ステップＳ４０）、鍵盤処理のステップＳ２１に戻る。この鍵番号Ｎの鍵処理は、鍵盤処理で、鍵盤部２の全ての鍵４に対してステップＳ３０〜ステップＳ４３までの動作を繰り返し実行される。
【００４８】
このように、この電子鍵盤楽器によれば、鍵４が押鍵操作されて鍵スイッチ１７の第１〜第４の各接点部２４〜２７が順次オンする際に、予め操作スイッチ部７の演奏モードスイッチによって選択指定された演奏形態に対応する２つの接点部、つまりジャズ演奏の第２、第３の各接点部２５、２６またはクラシック演奏の第３、第４の各接点部２６、２７が順次オンすることにより、楽音の発音開始を制御することができる。このため、ジャズ演奏やクラシック演奏などの異なる演奏形態に応じて楽音を発音させることができるので、異なる演奏形態に応じて最適に楽音を発音させることができる。
【００４９】
この場合、鍵４が押鍵操作されて鍵スイッチ１７の第１〜第４の各接点部２４〜２７が順次オンした後に、鍵４が初期位置に復帰する際に、最初にオンした第１接点部２４がオフになることにより楽音の発音を停止させるので、ジャズ演奏やクラシック演奏などの異なる演奏形態に応じた楽音を最適に消音させることができ、これによっても異なる演奏形態に応じて良好な楽音を得ることができるので、演奏性を向上させることができる。
【００５０】
(実施形態２)
次に、図１２〜図１７を参照して、この発明を適用した電子鍵盤楽器の実施形態２について説明する。なお、図１〜図１１に示された実施形態１と同一部分には同一符号を付して説明する。
この電子鍵盤楽器は、図１２〜図１５に示すように、押鍵操作時における鍵４のストロークの深さを調整する鍵ストローク調整部材４１を備えた構成であり、これ以外は実施形態１とほぼ同じ構成になっている。
【００５１】
すなわち、この鍵ストローク調整部材４１は、図１２〜図１５に示すように、楽器本体１の両側部における内面下部に回動可能に取り付けられて鍵盤シャーシ３の底板３ａの上方に傾き可能に起立する一対の支持アーム４２と、この一対の支持アーム４２の上端部に架け渡されたストッパ部４３と、一対の支持アーム４２の傾きを規制する一対の位置規制部材４４とを備えている。
【００５２】
この場合、支持アーム４２は、図１５に示すように、その下端部４２ａが直角に折り曲げられ、図１３に示すように、この折り曲げられた下端部４２ａが楽器本体１の側面下部に回動可能に取り付けられた構成になっている。また、ストッパ部４３は、図１２および図１４に示すように、各鍵４に対応して配置された各ハンマー部材１０の後部上方に沿って連続した状態で配置されている。
【００５３】
これにより、鍵ストローク調整部材４１は、図１２および図１４に示すように、一対の支持アーム４２がハンマー部材１０の錘１３に対応する箇所付近に設けられ、図１７に示すように、この一対の支持アーム４２がほぼ垂直に起立した状態のときに、一対の支持アーム４２の上端部に架け渡されたストッパ部４３がハンマー部材１０の錘１３の移動軌跡上に配置され、この状態で鍵４の押鍵操作に伴ってハンマー本体１１が回動した際に、このハンマー本体１１の錘１３がストッパ部４３の下面に当接することにより、ハンマー本体１１の回動範囲を最小限に規制して、鍵４の押鍵時における鍵ストロークが浅くなるように構成されている。
【００５４】
また、この鍵ストローク調整部材４１は、図１６に示すように、一対の支持アーム４２が鍵４の前側（図１６では右側）に傾いた状態のときに、一対の支持アーム４２の上端部に架け渡されたストッパ部４３がハンマー部材１０の錘１３の移動軌跡上から離れた位置に配置され、この状態で鍵４の押鍵操作に伴ってハンマー本体１１が回動した際に、このハンマー本体１１の錘１３がストッパ部４３の下面に当接しないことにより、ハンマー本体１１の回動範囲を最大限にして、鍵４の押鍵時における鍵ストロークが深くなるように構成されている。
【００５５】
この場合、一対の支持アーム４２は、図１２および図１５に示すように、その上部側にばね部材４５がそれぞれ設けられ、この各ばね部材４５がそれぞれ一対の位置規制部材４４によって位置規制されることにより、一対の支持アーム４２の傾きを規制するように構成されている。すなわち、この位置規制部材４４は、図１５に示すように、支持アーム４２が垂直に起立した際に、その支持アーム４２に設けられたばね部材４５を弾力的に係止する第１規制凹部４４ａと、支持アーム４２が鍵４の前側（図１５では右側）に向けて傾いた際に、その支持アーム４２のばね部材４５を弾力的に係止する第２規制凹部４４ｂとを備えている。
【００５６】
また、ストッパ部４３の両端部には、図１２および図１５に示すように、このストッパ部４３を移動させて一対の支持アーム４２を傾けるための操作部４６がそれぞれ設けられている。この操作部４６は、図１２および図１３に示すように、楽器本体１の両側部における上部に設けられた円弧状の長孔４７に挿入されて、楽器本体１の内側から外側に突出し、この突出した部分を長孔４７に沿って移動させることにより、支持アーム４２の下端部４２ａを中心に支持アーム４２が回動して所定の角度に傾くように構成されている。
【００５７】
次に、この鍵ストローク調整部材４１によって鍵４の鍵ストロークを調整する場合について説明する。
まず、クラシック演奏をする場合には、図１４および図１５にそれぞれ実線で示すように、操作部４６を操作して一対の支持アーム４２を鍵４の前側（図１４では右側）に傾け、ストッパ部４３をハンマー部材１０の錘１３の移動軌跡上から離れた位置に配置する。
【００５８】
すなわち、図１３に示すように、操作部４６を楽器本体１の前側（図１３では右側）に移動させると、これに伴ってストッパ部４３と共に一対の支持アーム４２がその下端部４２ａを中心に時計回りに回動し、鍵４の前側（図１３では右側）に向けて傾く。このときには、図１５に示すように、支持アーム４２に設けられたばね部材４５が位置規制部材４４に沿って移動し、支持アーム４２が所定の角度に傾くと、ばね部材４５が第２規制凹部４４ｂに弾力的に係止される。
【００５９】
この状態で、鍵４を押鍵すると、図１６に示すように、ハンマー本体１１の鍵連結部１５が鍵４のハンマー保持部１４によって押し下げられ、これに伴ってハンマー本体１１が錘１３の重量に抗してハンマー支持部１２を中心に回動する。このときには、錘１３が鍵ストローク調整部材４１のストッパ部４３に当接することがなく、ストッパ部４３の上方に移動するので、鍵４の鍵ストロークが深くなる。
【００６０】
このため、鍵４の鍵ストロークが深いクラシック演奏が可能になる。この状態では、鍵スイッチ１７は、その第１〜第４の各操作子２０〜２３の全てが鍵４の押圧部４ａおよびハンマー部材１０の押圧部１１ａによって動作し、第１〜第４の各接点部２４〜２７の全てが順次オンする。これより、ＣＰＵ３４は、第１〜第４の各接点部２４〜２７のうち、第３、第４の各接点部２６、２７が順次オンすることにより、実施形態１と同様、楽音の発音開始を制御する。
【００６１】
一方、ジャズ演奏をする場合には、図１４および図１５にそれぞれ破線で示すように、操作部４６を操作して一対の支持アーム４２をほぼ垂直に起立させ、ストッパ部４３をハンマー部材１０の錘１３の移動軌跡上に配置する。すなわち、図１３に示すように、操作部４６を楽器本体１の後側（図１３では左側）に移動させると、これに伴ってストッパ部４３と共に一対の支持アーム４２がその下端部４２ａを中心に反時計回りに回動し、鍵４に対してほぼ垂直に起立する。
【００６２】
このときには、図１５に示すように、支持アーム４２のばね部材４５が位置規制部材４４に沿って移動し、支持アーム４２がほぼ垂直に起立すると、ばね部材４５が第１規制凹部４４ａに弾力的に係止される。この状態で、鍵４を押鍵すると、図１７に示すように、ハンマー本体１１の鍵連結部１５が鍵４のハンマー保持部１４によって押し下げられ、これに伴ってハンマー本体１１が錘１３の重量に抗してハンマー支持部１２を中心に回動する。
【００６３】
このときには、錘１３が鍵ストローク調整部材４１のストッパ部４３に当接するため、鍵４の鍵ストロークが浅くなる。このため、鍵４の鍵ストロークが浅いジャズ演奏が可能になる。この状態では、鍵スイッチ１７は、その第１〜第４の操作子２０〜２３のうち、第１〜第３の各操作子２０〜２２のみが鍵４の押圧部４ａおよびハンマー部材１０の押圧部１１ａによって動作し、第１〜第３の各接点部２４〜２６のみが順次オンする。これにより、ＣＰＵ３４は、第１〜第３の各接点部２４〜２６のうち、第２、第３の各接点部２５、２６が順次オンすることにより楽音の発音を制御する。
【００６４】
このように、この電子鍵盤楽器によれば、実施形態１と同様の作用効果があるほか、操作スイッチ部７の演奏モードスイッチによって選択指定されたジャズ演奏やクラシック演奏などの演奏形態に応じて、押鍵時における鍵ストロークを鍵ストローク調整部材４１によって調整することができ、これにより鍵４を演奏形態に応じた鍵ストロークで動作させることができると共に、鍵スイッチ１７の第１〜第４の各接点部２４〜２７から出力されるオン・オフ信号に基づいて楽音の発音を制御するＣＰＵ３４の制御処理を簡素化することができる。
【００６５】
すなわち、鍵ストローク調整部材４１は、操作部部４６を操作して一対の支持アーム４２の傾きを可変させることにより、ストッパ部４３をハンマー部材１０の錘１３の移動軌跡上に対応する位置と、ハンマー部材１０の錘１３の移動軌跡上から離れた位置とのいずれかに配置することにより、鍵４のストロークの深さを調整することができるので、鍵４の鍵ストロークの深いクラシック演奏と、鍵４の鍵ストロークが浅いジャズ演奏とに応じて、鍵ストロークを簡単に切り替えることができる。
【００６６】
このため、鍵４の鍵ストロークが深いクラシック演奏の際には、鍵ストロークを深くして、鍵スイッチ１７の第１〜第４の各接点部２４〜２７を順次オンさせることができ、これにより第３、第４の各接点部２６、２７が順次オンすることにより楽音の発音を制御することができる。また、鍵４の鍵ストロークが浅いジャズ演奏の際には、鍵ストロークを浅くして、鍵スイッチ１７の第１〜第３の各接点部２４〜２６のみを順次オンさせることができ、これにより第２、第３の各接点部２５、２６が順次オンすることにより楽音の発音を制御することができる。
【００６７】
なお、前記実施形態１、２では、鍵スイッチ１７の第１〜第４の各操作子２０〜２３のうち、第１、第２の各操作子２０、２１をスイッチ基板１６の上方に突出させ、第３、第４の各操作子２２、２３をスイッチ基板１６の下方に突出させた構成である場合について述べたが、これに限らず、例えば第１〜第４の各操作子２０〜２３の全てをスイッチ基板１６の上方に突出させた構成でも良い。
【００６８】
この場合には、第１〜第４の各操作子２０〜２３は、第１操作子２０の長さを最も長く形成し、第２〜第４の各操作子２１〜２３を段階的に短くなるように形成し、押鍵操作時に鍵４の押圧部４ａによって順番に押し下げられるように構成すれば良い。このように構成すれば、必ずしもハンマー部材１０によってアクション荷重を鍵４に付与する構成の電子鍵盤楽器である必要はなく、ハンマー部材を用いていない電子鍵盤楽器にも適用することができる。
【００６９】
また、前記実施形態１、２およびその変形例では、鍵スイッチ１７が第１〜第４の各操作子２０〜２３を備えている構成である場合について述べたが、必ずしも第１〜第４の各操作子２０〜２３を備えている必要はなく、スイッチ基板１６上にゴムシートを配置し、このゴムシートにドーム状の膨出部を形成し、この膨出部内に長さの異なる複数の可動接点を設け、この複数の可動接点が押鍵操作に応じて順次スイッチ基板１２６上の固定接点に接触するように構成しても良い。
【００７０】
さらに、前記実施形態１、２およびその各変形例では、鍵スイッチが押鍵操作によって順次オンする４つの接点部を備えている場合について述べたが、接点部は必ずしも４つ備えている必要はなく、３つの接点部を備えた構成であっても良く、また５つ以上の接点部を備えた構成であっても良い。
【符号の説明】
【００７１】
１  楽器本体
２  鍵盤部
４  鍵
６  表示部
７  操作スイッチ部
１０  ハンマー部材
１６  スイッチ基板
１７  鍵スイッチ
２０〜２３  第１〜第４の各操作子
２４〜２７  第１〜第４の各接点部
３０  入力部
３１  信号制御部
３２  出力部
３４  ＣＰＵ
３５  ＲＯＭ
３６  ＲＡＭ
３８  音源部
４１  鍵ストローク調整部材
【図１】
2010160263.tif 000003
【図２】
2010160263.tif 000004
【図３】
2010160263.tif 000005
【図４】
2010160263.tif 000006
【図５】
2010160263.tif 000007
【図６】
2010160263.tif 000008
【図７】
2010160263.tif 000009
【図８】
2010160263.tif 000010
【図９】
2010160263.tif 000011
【図１０】
2010160263.tif 000012
【図１１】
2010160263.tif 000013
【図１２】
2010160263.tif 000014
【図１３】
2010160263.tif 000015
【図１４】
2010160263.tif 000016
【図１５】
2010160263.tif 000017
【図１６】
2010160263.tif 000018
【図１７】
2010160263.tif 000019